(57)【要約】【課題】猫などのペットが非常に興味を示し、且つペットのストレス解消と健康増進を図ることができるペット用玩具を提供する。【解決手段】本発明のペット用玩具１は、使用者Ｍが把持する棒状とされたグリップ部２と、グリップ部２の先端に連結され、ペットを誘導する誘導体として作用する紐体３とを有しており、紐体３は、グリップ部２より長尺であって、内部に長尺な内芯体５と内芯体５を外から囲う長尺な外套体６とからなる。好ましくは、外套体６の長手方向に沿った伸縮率は、内芯体５の長手方向に沿った伸縮率よりも大きいものとされ、外套体６が内芯体５よりも柔らかいものとされるとよい。【選択図】図１
2018078845.tif 000002
【特許請求の範囲】
【請求項１】
使用者が把持する棒状とされたグリップ部と、前記グリップ部の先端に連結され、ペットを誘導する誘導体として作用する紐体とを有しており、
前記紐体は、グリップ部より長尺であって、内部に長尺な内芯体と前記内芯体を外から囲う長尺な外套体とからなる
ことを特徴とするペット用玩具。
【請求項２】
前記外套体の長手方向に沿った伸縮率は、前記内芯体の長手方向に沿った伸縮率よりも大きいものとされ、
前記外套体が前記内芯体よりも柔らかいものとされている
ことを特徴とする請求項１に記載のペット用玩具。
【請求項３】
前記内芯体は、フィルム状とされたプラスチック体からなり、前記外套体は、繊維を編むことで構成された編物体であることを特徴とする請求項２に記載のペット用玩具。
【発明の詳細な説明】
【技術分野】
【０００１】
本発明は、猫などのペットを遊ばせるためのペット用玩具に関する。
【背景技術】
【０００２】
猫などのペットを遊ばせるためのペット用玩具として、ペットが興味を持ちそうな形状のペット誘惑体をペットの目の前でひらひら動かし、じゃれつかせる形態のものがある。特許文献１の図９は、そのようなペット用玩具を開示するものとなっている。
特許文献１にて開示されたペット用玩具は、使用者が把持するグリップ、このグリップの先端に設けられたロッド部、このロッド部の先端に設けられたペット誘惑体を有する。グリップやロッド部は合成樹脂やガラス繊維で作られ、ペット誘惑体は鳥の羽や動物の羽毛またはナイロン等の合成繊維で作られる。ペット誘惑体は、植物の猫じゃらしに似せて作られている。グリップを手に持って上下に揺すると、ロッド部は適当にしなるので、そのしなりの力も加わり、ペット誘惑体を風に揺れる如くペットの目の前で揺することができる。ペットは、興味をそそる物体が目の前で動くから、それにじゃれつくことになる。
【先行技術文献】
【特許文献】
【０００３】
【特許文献１】特開２００１−２９９１２４号公報（図９）
【発明の概要】
【発明が解決しようとする課題】
【０００４】
さて、猫（大きくはネコ科の哺乳類）の習性、特性を考えた場合、まず、猫は蛇を捕獲する習性があり、猫は、蛇に形状が似ている長尺の紐体に反応し、じゃれつく特性がある。
また、猫の五感で最も優れているのは聴覚であることが知られている。そのため、猫は「カサカサ」といったような音には敏感に反応する。これは、草むらを蛇やネズミなどの小動物が移動する際に発生する音に似ているものと思われる。
【０００５】
このような特性を生かしたペット用玩具であれば、猫などの小動物は、非常に興味を示し喜んで遊ぶ（じゃれつく）ものと思われる。
しかしながら、特許文献１が開示するペット用玩具は、短尺のペット誘惑体を有するものとなっており、また音を発するものとは思えない。それ故、猫などのペットが喜んでじゃれつくものになっていないと考えられる。
【０００６】
そこで、本発明は、猫などのペットが非常に興味を示し、且つペットのストレス解消と健康増進を図ることができるペット用玩具を提供することを目的とする。
【課題を解決するための手段】
【０００７】
前記目的を達成するため、本発明においては以下の技術的手段を講じた。
本発明のペット用玩具は、使用者が把持する棒状とされたグリップ部と、前記グリップ部の先端に連結され、ペットを誘導する誘導体として作用する紐体とを有しており、前記紐体は、グリップ部より長尺であって、内部に長尺な内芯体と前記内芯体を外から囲う長尺な外套体とからなることを特徴とする。
【０００８】
好ましくは、前記外套体の長手方向に沿った伸縮率は、前記内芯体の長手方向に沿った伸縮率よりも大きいものとされ、前記外套体が前記内芯体よりも柔らかいものとされているとよい。
好ましくは、前記内芯体は、フィルム状とされたプラスチック体からなり、前記外套体は、繊維を編むことで構成された編物体であるとよい。
【発明の効果】
【０００９】
本発明のペット用玩具によれば、猫などのペットが非常に興味を示し、好適に遊ぶことができ、ひいては、ペットのストレス解消と健康増進を図ることが可能となる。
【図面の簡単な説明】
【００１０】
【図１】本発明にかかるペット用玩具の全体を示した図である。
【図２】本発明にかかるペット用玩具の紐体の断面を模式的に示した図である。
【図３】本発明にかかるペット用玩具の紐体の側面の拡大図である。
【図４】本発明にかかるペット用玩具の使用態様を示した図である。
【発明を実施するための形態】
【００１１】
以下、本発明のペット用玩具を図面に基づき説明する。また、本発明のペット用玩具を用いるペットとして「猫」を例示して説明するが、ペットは猫に限定されず、様々な動物が想定される。
図１に示すように、本発明のペット用玩具１は、所謂「猫じゃらし」といわれるものであり、使用者Ｍが把持する棒状のグリップ部２と、グリップ部２の先端に連結され、ペットを誘導する誘導体として作用する紐体３とを有している。
【００１２】
グリップ部２は、合成樹脂やガラス繊維などから構成された可撓性のある棒状体であり、その長さは約４０ｃｍである。グリップ部２の断面形状は、直径５ｍｍ程度の断面円形であるが、使用者Ｍが把持しやすい形であればこれには限定されない。
グリップ部２の基端にはキャップ部材４が被せてあり、このキャップ部材４により、グリップ部２の基端が使用者Ｍに当たるなどしたとしても、使用者Ｍが怪我をするなどの不都合を回避することができる。
【００１３】
グリップ部２の先端には、グリップ部２の長さの約２〜４倍とされた長尺の紐体３が取り付けられている。具体的には、紐体３が基端（一方端）が、グリップ部２の先端に結合されるものとなっている。紐体３は柔軟性を有するものとされているため、グリップ部２を左右に振った際に、紐体３も連動し左右に揺らぐようになる。
この紐体３は、内部に長尺な内芯体５とこの内芯体５を外から囲う長尺な外套体６とからなる二重構造とされている。
【００１４】
内芯体５は、幅が１ｃｍ程度で長さが８０ｃｍ〜１６０ｃｍとされたセロハンなどのプラスチック体から構成されている。このプラスチック体は、硬質であり且つ長手方向に殆ど伸縮しないものとなっている。プラスチック体は薄膜でフィルム状とされているため、長手方向に交わる方向には折れ曲がるようになっていると共に、触ると「カサカサ」といった音を発するものとされている。より音が出やすいように、内芯体５は厚み方向に皺や凹凸が生じるような癖付けされていてもよい。
【００１５】
一方で、外套体６は、内芯体５と略同じ長さを有しており、内芯体５を外から囲うものとされている。言い換えれば、図２の断面模式図に示す如く、外套体６は筒状に形成されていて、この筒の内部に内芯体５が挿入された構成となっている。内芯体５と外套体６との間には、隙間が存在するようになっており、内芯体５の幅方向両端が外套体６の内側に接するようになっている。
【００１６】
紐体３の基端においては、外套体６と内芯体５とが一体となった上でグリップ部２の先端に固着されている。また、紐体３の先端（他方端であってグリップ部２とは反対側）においては、内芯体５は外套体６に挟まれる形で一体となるように接着剤で接着されている。なお、紐体３の先端における外套体６と内芯体５との接着方法は接着に限定されない。熱による溶着であってもよい。
【００１７】
図３に示す如く、本実施形態の外套体６は、糸や毛糸などの繊維を編み込むことで構成された編物体からなる。編物体で構成されるが故に、外套体６は軟質で且つ長手方向に伸縮可能とされている。すなわち、外套体６の長手方向に沿った伸縮率ρは、内芯体５の長手方向に沿った伸縮率ρ’より大きいものとなっている。外套体６が内芯体５よりも柔らかく比重も大きいものとなっている。
【００１８】
外套体６を構成する編物体の編み方は、筒状乃至は袋状に編まれ且つ長手方向に伸びる編み方であれば、どのようなものでもよい。例えば、「リリアン編み」などを採用することが好ましい。
以上述べた、ペット用玩具１（猫じゃらし）の使用態様の一例について述べる。
図４に示すように、まず、ペット用玩具１を使用しようとする使用者Ｍは、グリップ部２を把持し、このグリップ部２を上下乃至は左右に揺するようにする。すると、このグリップ部２の動きに連動して、紐体３が波打つように動く（うねるように動く）こととなる。この紐体３の動きは、蛇の動きを連想させるものであるため、猫Ｃは、興味をそそる物体が目の前で動くから、それにじゃれつくことになる。
【００１９】
なお、蛇を連想させるため、外套体６に蛇腹模様を印刷することは好ましい。また蛇腹模様を連想させる編み方をした編物体を、外套体６として採用することは好ましい。
紐体３が波打つように動く際には、内芯体５が上下乃至は左右に動き、この動きによる内芯体５そのものの性状による音の発生に加え、外套体６と擦れることで、「カサカサ」といった音を発するようになる。「カサカサ」といった音は、草むらを蛇やネズミなどの小動物が移動する際に発生する音に似ているものであり、猫Ｃはこの音に敏感に反応し、より一層、本発明のペット用玩具１に反応することとなる。
【００２０】
図４の如く、猫Ｃが、紐体３を手で押さえ、その状態で使用者Ｍがグリップを自分側に引き寄せることを考える。紐体３を構成する外套体６は、長手方向に伸縮率が大きく伸びることになるが、内芯体５は殆ど伸びない。この伸縮率の差により、内芯体５の表面を外套体６が大きく擦ることとなるため、大きな音（「カサカサ」といった音）が生じることになり、従来の玩具にはない興味を、猫Ｃは抱くこととなる。
【００２１】
このように、本発明のペット用玩具１では、紐体３が蛇を連想させるように波打ったり、紐体３から小動物の移動を連想させる「カサカサ」音が発生するため、猫Ｃは、本発明のペット用玩具１に非常に興味を示し、それにじゃれつくことになって、好適に遊ぶことができる。ひいては、本実施形態のペット用玩具１により、猫Ｃのストレス解消と健康増進を図ることが可能となる。
【００２２】
なお、今回開示された各実施形態は、すべての点で例示であって制限的なものではないと考えられるべきである。特に、今回開示された各実施形態において、明示的に開示されていない事項は、通常の当業者であれば、容易に想定することが可能な値を採用している。
例えば、本実施形態の説明においては、ペットとして猫Ｃを例示しているが、他の動物、例えば犬やフェレットなどに、本発明のペット用玩具１を使用しても何ら問題はない。
【００２３】
また、グリップ部２は棒状であるとして説明をしたが、グリップ部２の形状は棒状に限定されない。
【符号の説明】
【００２４】
１    ペット用玩具（猫じゃらし）
２    グリップ部
３    紐体
４    キャップ部材
５    内芯体
６    外套体
Ｃ    猫
Ｍ    使用者
【図１】
2018078845.tif 000003
【図２】
2018078845.tif 000004
【図３】
2018078845.tif 000005
【図４】
2018078845.tif 000006